(57)【要約】本開示は、イベント通知方法及びイベント通知装置に関する。本方法は、通知すべきイベントを受信したとき、端末が、接続されたワイヤレスヘッドフォンを用いて所定の音情報を再生しているか判断すると共に、端末がワイヤレスヘッドフォンを用いて所定の音情報を再生している場合、通知すべきイベントに応じてワイヤレスヘッドフォンに無音通知コマンドを送信する。無音通知コマンドは、無音の通知動作を実行するようにワイヤレスヘッドフォンを制御する。上記技術的解決手段により、端末が通知すべきイベントを受信したときに、ワイヤレスヘッドフォンを用いて所定の音情報を再生していれば、端末は、ワイヤレスヘッドフォンが無音の通知動作（バイブレーション動作、点滅動作等）を実行するように無音通知コマンドをワイヤレスヘッドフォンに送信する。よって、所定の音情報の再生を遮ることなく、ユーザにイベントについて通常通り通知することもでき、ユーザ体験を向上させることができる。
2017528929.tif 000002
【特許請求の範囲】
【請求項１】
端末に用いられるイベント通知方法であって、
通知すべきイベントを受信したとき、前記端末が、当該端末に接続されたワイヤレスヘッドフォンを用いて所定の音情報を再生しているか否か判断し、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信すること、
を特徴とするイベント通知方法。
【請求項２】
前記通知すべきイベントに応じて、前記無音通知コマンドを前記ワイヤレスヘッドフォンに送信する処理は、
前記通知すべきイベントの種類を判断し、
前記通知すべきイベントの種類、及び、所定の通知すべきイベントの種類と無音通知強度との関係に基づき、前記通知すべきイベントの種類に対応する無音通知強度を判断し、
前記無音通知強度に基づき前記無音通知コマンドを生成し、
前記ワイヤレスヘッドフォンに前記無音通知コマンドを送信するものであって、
前記ワイヤレスヘッドフォンは、前記無音通知コマンドの無音通知強度に応じて前記無音の通知動作を実行するように構成されたものであること、
を特徴とする請求項１に記載のイベント通知方法。
【請求項３】
前記通知すべきイベントの種類を判断する処理は、
前記通知すべきイベントの属するアプリケーションを取得し、
前記アプリケーションに基づき前記通知すべきイベントの種類を判断する、
ものであることを特徴とする請求項２に記載のイベント通知方法。
【請求項４】
前記通知すべきイベントに応じて前記無音通知コマンドを前記ワイヤレスヘッドフォンに送信する前に、
前記ワイヤレスヘッドフォンの現ユーザが所定のユーザが否か判断し、
前記現ユーザが前記所定のユーザであれば、前記通知すべきイベントに応じて前記無音通知コマンドを前記ワイヤレスヘッドフォンに送信する一方、
前記現ユーザが前記所定のユーザでなければ、前記ワイヤレスヘッドフォンに前記無音通知コマンドを送信しない、
ことを特徴とする請求項１に記載のイベント通知方法。
【請求項５】
前記通知すべきイベントに応じて前記無音通知コマンドを前記ワイヤレスヘッドフォンに送信する前に、前記ワイヤレスヘッドフォンの現ユーザのＩＤを取得し、
前記ワイヤレスヘッドフォンの現ユーザが所定のユーザか否かを判断する処理は、
前記現ユーザのＩＤが所定のユーザＩＤと一致するか否か判断し、
前記現ユーザのＩＤが前記所定のユーザＩＤと一致する場合、前記現ユーザが前記所定のユーザであると決定し、
前記現ユーザのＩＤが前記所定のユーザＩＤと一致しない場合、前記現ユーザが前記所定のユーザではないと決定する、
ものであることを特徴とする請求項４に記載のイベント通知方法。
【請求項６】
前記ワイヤレスヘッドフォンの現ユーザのＩＤを取得する処理は、
入力された前記現ユーザのＩＤを取得し、又は、
前記ワイヤレスヘッドフォンから前記現ユーザのＩＤを受信する、
ものであることを特徴とする請求項５に記載のイベント通知方法。
【請求項７】
ワイヤレスヘッドフォンに用いられるイベント通知方法であって、
前記ワイヤレスヘッドフォンに接続された端末から無音通知コマンドを受信し、
前記無音通知コマンドに応じて無音の通知動作を実行すること、
を特徴とするイベント通知方法。
【請求項８】
前記無音通知コマンドに応じて無音の通知動作を実行する処理は、
前記無音通知コマンドから無音通知強度を解析し、
前記無音通知強度に応じて対応する無音の通知動作を実行する、
ものであることを特徴とする請求項７に記載のイベント通知方法。
【請求項９】
さらに、入力された前記ワイヤレスヘッドフォンの現ユーザのＩＤを取得し、
前記端末に前記現ユーザのＩＤを送信すること、
を特徴とする請求項７に記載のイベント通知方法。
【請求項１０】
前記無音の通知動作が、バイブレーション通知動作及び点滅動作のうち少なくとも何れかを含むことを特徴とする請求項７から９のいずれか１項に記載のイベント通知方法。
【請求項１１】
端末に用いられるイベント通知装置であって、
通知すべきイベントを受信したとき、前記端末が、当該端末に接続されたワイヤレスヘッドフォンを用いて所定の音情報を再生しているか否か判断するように構成された第１判断モジュールと、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信するように構成された送信モジュールと、
を備えることを特徴とするイベント通知装置。
【請求項１２】
前記送信モジュールは、
通知すべきイベントの種類を判断するように構成された第１判断サブモジュールと、
前記通知すべきイベントの種類、及び、所定の通知すべきイベントの種類と無音通知強度との関係に基づき、前記通知すべきイベントの種類に対応する無音通知強度を判断するように構成された第２判断サブモジュールと、
前記無音通知強度に基づき前記無音通知コマンドを生成するように構成された生成サブモジュールと、
前記ワイヤレスヘッドフォンに前記無音通知コマンドを送信するように構成された送信サブモジュールと、を備え、
前記ワイヤレスヘッドフォンは、前記無音通知コマンドの無音通知強度に応じて前記無音の通知動作を実行するように構成されたものであること、
を特徴とする請求項１１に記載のイベント通知装置。
【請求項１３】
前記第１判断サブモジュールは、
前記通知すべきイベントの属するアプリケーションを取得すると共に、
前記アプリケーションに基づき前記通知すべきイベントの種類を判断するように構成されたものであることを特徴とする請求項１２に記載のイベント通知装置。
【請求項１４】
さらに、前記通知すべきイベントに応じて前記無音通知コマンドが前記ワイヤレスヘッドフォンに送信される前に、前記ワイヤレスヘッドフォンの現ユーザが所定のユーザか否か判断するように構成された第２判断モジュールと、
前記現ユーザが所定のユーザであれば、前記送信モジュールを起動する一方、前記現ユーザが所定のユーザでなければ、前記送信モジュールを起動させないように構成された処理モジュールと、
を備えることを特徴とする請求項１１に記載のイベント通知装置。
【請求項１５】
さらに、前記通知すべきイベントに応じて前記無音通知コマンドが前記ワイヤレスヘッドフォンに送信される前に、前記ワイヤレスヘッドフォンの現ユーザのＩＤを取得するように構成された取得モジュールを備え、
前記第２判断モジュールは、
前記現ユーザのＩＤが所定のユーザＩＤと一致するか否か判断するように構成された判断サブモジュールと、
前記現ユーザのＩＤが前記所定のユーザＩＤと一致する場合、前記現ユーザが前記所定のユーザであると決定するように構成された第１決定サブモジュールと、
前記現ユーザのＩＤが前記所定のユーザＩＤと一致しない場合、前記現ユーザが前記所定のユーザではないと決定するように構成された第２決定サブモジュールと、
を備えることを特徴とする請求項１４に記載のイベント通知装置。
【請求項１６】
前記取得モジュールは、
入力された前記現ユーザのＩＤを取得するように構成されたＩＤ取得サブモジュール、又は、
前記ワイヤレスヘッドフォンから前記現ユーザのＩＤを受信するように構成されたＩＤ受信サブモジュールと、
を備えるものであることを特徴とする請求項１５に記載のイベント通知装置。
【請求項１７】
ワイヤレスヘッドフォンに用いられるイベント通知装置であって、
前記ワイヤレスヘッドフォンに接続された端末から無音通知コマンドを受信するように構成された受信モジュールと、
前記無音通知コマンドに応じて無音の通知動作を実行するように構成された実行モジュールと、
を備えることを特徴とするイベント通知装置。
【請求項１８】
前記実行モジュールは、
前記無音通知コマンドから無音通知強度を解析するように構成された解析サブモジュールと、
前記無音通知強度に応じて対応する無音の通知動作を実行するように構成された動作実行サブモジュールと、
を備えるものであることを特徴とする請求項１７に記載のイベント通知装置。
【請求項１９】
さらに、前記ワイヤレスヘッドフォンの現ユーザのＩＤを取得するように構成されたＩＤ取得モジュールと、
前記端末に前記現ユーザのＩＤを送信するように構成された送信モジュールと、
を備えることを特徴とする請求項１７に記載のイベント通知装置。
【請求項２０】
前記無音の通知動作が、バイブレーション通知動作及び点滅動作のうち少なくとも何れかを含むことを特徴とする請求項１７から１９のいずれか１項に記載のイベント通知装置。
【請求項２１】
端末に用いられるイベント通知装置であって、
プロセッサと、
前記プロセッサによって実行される命令を記録したメモリと、を備え、
前記プロセッサは、
通知すべきイベントを受信したとき、前記端末に接続されたワイヤレスヘッドフォンを用いて所定の音情報を再生しているか否か判断し、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信する、
ように構成されたものであることを特徴とするイベント通知装置。
【請求項２２】
ワイヤレスヘッドフォンに用いられるイベント通知装置であって、
プロセットと、
前記プロセッサによって実行される命令を記録したメモリと、を備え、
前記プロセッサは、
前記ワイヤレスヘッドフォンに接続された端末から無音通知コマンドを受信し、
前記無音通知コマンドに応じて無音の通知動作を実行する、
ように構成されたものであることを特徴とするイベント通知装置。
【発明の詳細な説明】
【技術分野】
【０００１】
（関連出願の相互参照）
本願は、２０１５年７月３０日に中国国家知識産権局へ出願された中国特許出願第２０１５１０４６１２７１．１号に基づく出願であって、その特許出願に対する優先権を主張するものであり、その全内容は、参照によって本明細書に組み込まれる。
【０００２】
本開示は、一般的に端末技術分野に関し、より詳しくは、イベント通知方法及びイベント通知装置に関する。
【背景技術】
【０００３】
現在では、Bluetooth（登録商標）ヘッドフォンを用いて音楽を聴いている際に端末が電話やインスタントメッセージ等を受信すると、音楽を中断し、これらメッセージの通知動作が実行される。例えば、端末がショートメッセージを受信すると、音楽再生が一時停止され、ショートメッセージの通知音が聴こえた後、音楽再生が続けられる。即ち、通知されるべきイベントを受信すると、音楽再生が延期され、イベントに対応する通知音が再生されるため、ユーザは楽曲全体を通して聴くことができず、その聴取体験に影響を与えてしまう。
【発明の概要】
【０００４】
本開示の実施形態は、以下の技術的解決手段を有するイベント通知方法及びイベント通知装置を提供する。
【課題を解決するための手段】
【０００５】
本開示の実施形態に係る第１の態様にあっては、端末に用いられるイベント通知方法であって、
通知すべきイベントを受信したとき、前記端末が、当該端末に接続されたワイヤレスヘッドフォンを用いて所定の音情報を再生しているか否か判断し、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信する。
【０００６】
実施形態において、前記通知すべきイベントに応じて、前記無音通知コマンドを前記ワイヤレスヘッドフォンに送信する処理は、
前記通知すべきイベントの種類を判断し、
前記通知すべきイベントの種類、及び、所定の通知すべきイベントの種類と無音通知強度との関係に基づき、前記通知すべきイベントの種類に対応する無音通知強度を判断し、
前記無音通知強度に基づき前記無音通知コマンドを生成し、
前記ワイヤレスヘッドフォンに前記無音通知コマンドを送信するものであって、
前記ワイヤレスヘッドフォンは、前記無音通知コマンドの無音通知強度に応じて前記無音の通知動作を実行するように構成されたものである。
【０００７】
実施形態において、本方法はさらに、
入力された通知すべきイベントの設定コマンドを設定し、
前記通知すべきイベントの設定コマンドに基づき、前記通知すべきイベントの種類と、所定の通知すべきイベントに対応する無音通知強度と、を設定する。
【０００８】
実施形態において、前記通知すべきイベントの種類を判断する処理は、
前記通知すべきイベントの属するアプリケーションを取得し、
前記アプリケーションに基づき前記通知すべきイベントの種類を判断する。
【０００９】
実施形態において、前記通知すべきイベントに応じて前記無音通知コマンドを前記ワイヤレスヘッドフォンに送信する前に、
前記ワイヤレスヘッドフォンの現ユーザが所定のユーザか否か判断し、
前記現ユーザが前記所定のユーザであれば、前記通知すべきイベントに応じて前記無音通知コマンドを前記ワイヤレスヘッドフォンに送信する一方、
前記現ユーザが前記所定のユーザでなければ、前記ワイヤレスヘッドフォンに前記無音通知コマンドを送信しない。
【００１０】
実施形態において、前記通知すべきイベントに応じて前記無音通知コマンドを前記ワイヤレスヘッドフォンに送信する前に、前記ワイヤレスヘッドフォンの現ユーザのＩＤを取得し、
前記ワイヤレスヘッドフォンの現ユーザが所定のユーザか否かを判断する処理は、
前記現ユーザのＩＤが所定のユーザＩＤと一致するか否か判断し、
前記現ユーザのＩＤが前記所定のユーザＩＤと一致する場合、前記現ユーザが前記所定のユーザであると決定し、
前記現ユーザのＩＤが前記所定のユーザＩＤと一致しない場合、前記現ユーザが前記所定のユーザではないと決定する。
【００１１】
実施形態において、前記ワイヤレスヘッドフォンの現ユーザのＩＤを取得する処理は、
入力された前記現ユーザのＩＤを取得し、又は、
前記ワイヤレスヘッドフォンから前記現ユーザのＩＤを受信する。
【００１２】
本開示の実施形態に係る第２の態様にあっては、ワイヤレスヘッドフォンに用いられるイベント通知方法であって、
前記ワイヤレスヘッドフォンに接続された端末から無音通知コマンドを受信し、
前記無音通知コマンドに応じて無音の通知動作を実行する。
【００１３】
実施形態において、前記無音通知コマンドに応じて無音の通知動作を実行する処理は、
前記無音通知コマンドから無音通知強度を解析し、
前記無音通知強度に応じて対応する無音の通知動作を実行する。
【００１４】
実施形態において、本方法はさらに、
入力された前記ワイヤレスヘッドフォンの現ユーザのＩＤを取得し、
前記端末に前記現ユーザのＩＤを送信する。
【００１５】
実施形態において、前記無音の通知動作は、バイブレーション通知動作及び点滅動作のうち少なくとも何れかを含む。
【００１６】
本開示の実施形態に係る第３の態様にあっては、端末に用いられるイベント通知装置であって、
通知すべきイベントを受信したとき、前記端末が、当該端末に接続されたワイヤレスヘッドフォンを用いて所定の音情報を再生しているか否か判断するように構成された第１判断モジュールと、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信するように構成された送信モジュールと、
を備えることを特徴とするイベント通知装置。
【００１７】
実施形態において、前記送信モジュールは、
通知すべきイベントの種類を判断するように構成された第１判断サブモジュールと、
前記通知すべきイベントの種類、及び、所定の通知すべきイベントの種類と無音通知強度との関係に基づき、前記通知すべきイベントの種類に対応する無音通知強度を判断するように構成された第２判断サブモジュールと、
前記無音通知強度に基づき前記無音通知コマンドを生成するように構成された生成サブモジュールと、
前記ワイヤレスヘッドフォンに前記無音通知コマンドを送信するように構成された送信サブモジュールと、を備え、
前記ワイヤレスヘッドフォンは、前記無音通知コマンドの無音通知強度に応じて前記無音の通知動作を実行するように構成されたものであること。
【００１８】
実施形態において、前記第１判断サブモジュールは、
前記通知すべきイベントの属するアプリケーションを取得すると共に、
前記アプリケーションに基づき前記通知すべきイベントの種類を判断するように構成されたものである。
【００１９】
実施形態において、本装置はさらに、
前記通知すべきイベントに応じて前記無音通知コマンドが前記ワイヤレスヘッドフォンに送信される前に、前記ワイヤレスヘッドフォンの現ユーザが所定のユーザか否か判断するように構成された第２判断モジュールと、
前記現ユーザが所定のユーザであれば、前記送信モジュールを起動する一方、前記現ユーザが所定のユーザでなければ、前記送信モジュールを起動させないように構成された処理モジュールと、を備える。
【００２０】
実施形態において、本装置はさらに、
前記通知すべきイベントに応じて前記無音通知コマンドが前記ワイヤレスヘッドフォンに送信される前に、前記ワイヤレスヘッドフォンの現ユーザのＩＤを取得するように構成された取得モジュールを備え、
前記第２判断モジュールは、
前記現ユーザのＩＤが所定のユーザＩＤと一致するか否か判断するように構成された判断サブモジュールと、
前記現ユーザのＩＤが前記所定のユーザＩＤと一致する場合、前記現ユーザが前記所定のユーザであると決定するように構成された第１決定サブモジュールと、
前記現ユーザのＩＤが前記所定のユーザＩＤと一致しない場合、前記現ユーザが前記所定のユーザではないと決定するように構成された第２決定サブモジュールと、を備える。
【００２１】
実施形態において、前記取得モジュールは、
入力された前記現ユーザのＩＤを取得するように構成されたＩＤ取得サブモジュール、又は、
前記ワイヤレスヘッドフォンから前記現ユーザのＩＤを受信するように構成されたＩＤ受信サブモジュールと、を備える。
【００２２】
本開示の実施形態に係る第４の態様にあっては、ワイヤレスヘッドフォンに用いられるイベント通知装置であって、
前記ワイヤレスヘッドフォンに接続された端末から無音通知コマンドを受信するように構成された受信モジュールと、
前記無音通知コマンドに応じて無音の通知動作を実行するように構成された実行モジュールと、を備える。
【００２３】
実施形態において、前記実行モジュールは、
前記無音通知コマンドから無音通知強度を解析するように構成された解析サブモジュールと、
前記無音通知強度に応じて対応する無音の通知動作を実行するように構成された動作実行サブモジュールと、を備える。
【００２４】
実施形態において、本装置はさらに、
前記ワイヤレスヘッドフォンの現ユーザのＩＤを取得するように構成されたＩＤ取得モジュールと、
前記端末に前記現ユーザのＩＤを送信するように構成された送信モジュールと、を備える。
【００２５】
実施形態において、前記無音の通知動作は、バイブレーション通知動作及び点滅動作のうち少なくとも何れかを含む。
【００２６】
本開示の実施形態に係る第５の態様にあっては、端末に用いられるイベント通知方法であって、
プロセッサと、
前記プロセッサによって実行される命令を記録したメモリと、を備え、
前記プロセッサは、
通知すべきイベントを受信したとき、前記端末に接続されたワイヤレスヘッドフォンを用いて所定の音情報を再生しているか否か判断し、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信する。
【００２７】
本開示の実施形態に係る第６の態様にあっては、ワイヤレスヘッドフォンに用いられるイベント通知方法であって、
プロセットと、
前記プロセッサによって実行される命令を記録したメモリと、を備え、
前記プロセッサは、
前記ワイヤレスヘッドフォンに接続された端末から無音通知コマンドを受信し、
前記無音通知コマンドに応じて無音の通知動作を実行する。
【発明の効果】
【００２８】
本開示の実施形態による技術的解決手段は、以下の有益な効果を奏する。
【００２９】
当該技術的解決手段により、端末が通知すべきイベントを受信した際に、当該端末に接続されたワイヤレスヘッドフォンを用いて所定の音情報を再生している場合、端末は、ワイヤレスヘッドフォンが無音の通知動作（バイブレーション通知動作や点滅動作等）を実行するようワイヤレスヘッドフォンに無音通知コマンドを送信する。よって、再生中の所定の音情報を遮ることがなく、かつ、通常通りユーザに当該イベントを通知することができるため、ユーザの体験を向上させることができる。
【００３０】
なお、上述した一般的な記載及び後述する詳細な記載は、例示的かつ解説的なものに過ぎず、本開示の権利範囲を限定するものではないことは言うまでもない。
【００３１】
本願に添付され、その一部を構成する図面は、本開示の実施形態を示すものであり、明細書の記載と共に、本開示の要旨を説明する。
【図面の簡単な説明】
【００３２】
【図１】例示の実施形態に係るイベント通知方法を示すフローチャートである。
【図２】例示の実施形態に係るイベント通知方法のステップＳ１０２を示すフローチャートである。
【図３】例示の実施形態に係るイベント通知方法を示すフローチャートである。
【図４】例示の実施形態に係る別のイベント通知方法を示すフローチャートである。
【図５】例示の実施形態に係る他のイベント通知方法を示すフローチャートである。
【図６Ａ】例示の実施形態に係る他のイベント通知方法を示すフローチャートである。
【図６Ｂ】例示の実施形態に係る他のイベント通知方法を示すフローチャートである。
【図７】例示の実施形態に係るイベント通知方法を示すフローチャートである。
【図８】例示の実施形態に係る別のイベント通知方法を示すフローチャートである。
【図９】例示の実施形態に係る他のイベント通知方法を示すフローチャートである。
【図１０】例示の実施形態に係るイベント通知装置を示すブロック図である。
【図１１】例示の実施形態に係るイベント通知装置の送信モジュールを示すブロック図である。
【図１２】例示の実施形態に係る別のイベント通知装置を示すブロック図である。
【図１３Ａ】例示の実施形態に係る他のイベント通知装置を示すブロック図である。
【図１３Ｂ】例示の実施形態に係るイベント通知装置の第２判断モジュールを示すブロック図である。
【図１４】例示の実施形態に係るイベント通知装置の取得モジュールを示すブロック図である。
【図１５】例示の実施形態に係るイベント通知装置を示すブロック図である。
【図１６】例示の実施形態に係るイベント通知装置の実行モジュールを示すブロック図である。
【図１７】例示の実施形態に係る別のイベント通知装置を示すブロック図である。
【図１８】例示の実施形態に係るイベント通知装置を示すブロック図である。
【発明を実施するための形態】
【００３３】
以下、例示の実施形態について詳細に説明する。なお、実施形態の例を添付の図面に示す。後述の記載は図面を参照しながら行うが、別言しない限り、各図で用いられている同一の符号は、同一又は類似の要素を示す。なお、後述する、例示の実施形態の記載に係る実施例は、本開示を構成する全ての実施例を意味するわけではない。むしろ、添付の特許請求の範囲に示すように、これらは本開示に関する態様を示す装置及び方法の単なる例に過ぎない。
【００３４】
図１は、例示の実施形態に係るイベント通知方法を示すフローチャートである。本方法は、イベント通知が実行される端末装置に用いることができる。図１に示す如く、本方法はステップＳ１０１からＳ１０２を含む。
【００３５】
ステップＳ１０１では、通知すべきイベントを受信したときに、端末が、当該端末に接続されたワイヤレスヘッドフォンを用いて所定の音情報を再生しているか否か判断される。
【００３６】
ステップＳ１０２では、端末がワイヤレスヘッドフォンを用いて所定の音情報を再生していると判断されるとき、通知すべきイベントに応じてワイヤレスヘッドフォンに無音通知コマンドを送信する。なお、無音通知コマンドは、無音の通知動作を実行するようワイヤレスヘッドフォンを制御するためのものである。
【００３７】
ワイヤレスヘッドフォンは、接続用の線を用いずに端末装置に接続されるヘッドフォンを意味する。例えば、当該ワイヤレスヘッドフォンには、Bluetoothヘッドフォンや赤外ヘッドフォン等を用いることができる。また、通知すべきイベントには、音声通知を実行する必要のあるイベントも含まれる。
【００３８】
本実施形態では、端末が通知すべきイベントを受信したときに、当該端末に接続されたワイヤレスヘッドフォンを用いて所定の音情報を再生している場合、端末は、ワイヤレスヘッドフォンが無音の通知動作（バイブレーション通知動作や点滅通知動作等）を実行するようワイヤレスヘッドフォンに無音通知コマンドを送信する。よって、再生中の所定の音情報を遮ることがなく、かつ、通常通りユーザに当該イベントを通知することができるため、ユーザの体験を向上させることができる。
【００３９】
前記所定の音情報は、ユーザや製造者が設定することができる。例えば、音楽や動画等、ユーザの好むものを所定の音情報として設定することができる。したがって、所定の音情報を再生中に音を再生して通知する必要のある他のイベントを受信した場合であっても、端末は、無音通知コマンドをワイヤレスヘッドフォンに送信する。よって、ユーザは自分好みの音情報全体を、当該他のイベントによって邪魔されることなく確実に再生することができる。
【００４０】
ここで、実施形態において無音の通知動作とは、音を出さずに行う通知動作を意味する。例えば、当該無音の通知動作は、バイブレーション通知動作及び点滅通知動作の少なくともいずれかを含む。
【００４１】
図２に示す如く、実施形態にあっては、上記ステップＳ１０２はステップＳ２０１からＳ２０４を含む。
【００４２】
ステップＳ２０１において、通知すべきイベントの種類が判断される。即ち、通知すべきイベントに応じて、メッセージ通知型（例えば、ショートメッセージ通知型、インスタントメッセージ通知型等）や、システムミュージック再生型、システム動画再生型、といった異なる種類が存在する。
【００４３】
ステップＳ２０２では、前記通知すべきイベントの種類、及び、所定の通知すべきイベントの種類と無音通知強度との関係に基づき、通知すべきイベントの種類に対応する無音通知強度が決定される。
【００４４】
また、通知すべきイベントの設定コマンドを受信し、当該設定コマンドに従い、所定の通知すべきイベントの種類と通知すべきイベントの種類に対応する無音通知強度とを設定することができる。例えば、通常、着信は緊急な要件であるため、通知すべきイベントの種類が着信通知である場合、対応する無音通知強度を強度３に設定することができる。ワイヤレスヘッドフォンが受信した通知コマンドが着信通知であって、無音通知強度が強度３に設定されている場合、無音の通知動作として、強度３のバイブレーション通知動作又は強度３の点滅通知動作が実行される。また、インスタントメッセージは、通常、着信に比して緊急度が低い。したがって、通知すべきイベントの種類がインスタントメッセージである場合、対応する無音通知強度を強度１に設定することができる。ワイヤレスヘッドフォンが受信した通知コマンドがインスタントメッセージ通知であって、無音通知強度が強度１に設定されている場合、無音の通知動作として、強度１のバイブレーション通知動作又は強度１の点滅通知動作が実行される。このように、無音通知強度が高いほど通知強度も高くなり、無音通知強度が低いほど通知強度も低くなる。なお、通知強度は、バイブレーション強度、バイブレーション周波数、点滅強度、点滅速度等に対応させることができる。
【００４５】
ステップＳ２０３では、無音通知強度に従い無音通知コマンドが生成される。
【００４６】
ステップＳ２０４では、無音通知コマンドがワイヤレスヘッドフォンに送信され、ワイヤレスヘッドフォンは、当該無音通知コマンドの無音通知強度に従い無音の通知動作を実行する。
【００４７】
実施形態では、端末は、異なるイベントの種類に対し異なる通知強度で無音通知コマンドを送信し、ワイヤレスヘッドフォンは異なる無音の通知動作を実行する。端末は、無音の通知動作に基づき通知すべきイベントの種類を取得し、当該イベントの緊急度を判断する。ユーザは無音の通知動作の強度に基づき、すぐに当該イベントを処理すべきか否かを簡便に判断することができると共に、重要な通知イベントを見逃すことを防ぐことができる。
【００４８】
図３に示す如く、実施形態にあっては、上記ステップＳ２０１はステップＳ３０１からＳ３０２を含んでも良い。
【００４９】
ステップＳ３０１では、通知すべきイベントが属するアプリケーションが取得される。
【００５０】
ステップＳ３０２では、アプリケーションに基づき通知すべきイベントの種類が判断される。
【００５１】
即ち、実施形態にあっては、通知すべきイベントの属するアプリケーションに基づき、当該イベントの種類を判断することができる。例えば、通知すべきイベントの属するアプリケーションが通話用アプリケーションである場合、当該イベントの種類は着信通知となる。通知すべきイベントの属するアプリケーションがショートメッセージアプリケーションやインスタント通信ソフトウェア等である場合、当該イベントの種類はインスタントメッセージとなる。また、通知すべきイベントの属するアプリケーションがマルチメディアアプリケーションである場合、当該イベントの種類はシステム音／動画再生となる。
【００５２】
このように、通知すべきイベントの属するアプリケーションに基づき、異なるイベントの種類を正確に判断することができ、よって無音通知に対して異なる強度を与えることができる。したがって、ユーザは無音通知の強度に基づき、当該イベントを即時に処理すべきか否かを判断することができ、ユーザの体験を向上させることができる。
【００５３】
また、図４に示す如く、実施形態に係る本方法は、ステップＳ１０２において「通知すべきイベントに従い、無音通知コマンドをワイヤレスヘッドフォンに送信する」前に、ステップＳ４０１からＳ４０４を含む。
【００５４】
ステップＳ４０１では、ワイヤレスヘッドフォンの現ユーザが所定のユーザか否か判断される。
【００５５】
ユーザが所定のユーザであれば、ステップＳ４０２において、通知すべきイベントに従い無音通知コマンドをワイヤレスヘッドフォンに送信する処理（即ち、上記ステップＳ１０２）を実行する。
【００５６】
一方、ユーザが所定のユーザでなければ、ステップＳ４０３において、通知すべきイベントに従い無音通知コマンドをワイヤレスヘッドフォンに送信する処理（即ち、上記ステップＳ１０２）を実行しない。
【００５７】
実施形態にあっては、端末保有者を上記所定のユーザとすることができる。端末が通知すべきイベントを受信すると、当該端末は、ワイヤレスヘッドフォンの現ユーザが端末の保有者か否か判断する。現ユーザが保有者であれば、端末は、無線通知コマンドをワイヤレスヘッドフォンに送信してユーザに当該イベントを通知する。一方、現ユーザが保有者でなければ、端末は通知すべきイベントを処理する必要はないため、イベントに従いワイヤレスヘッドフォンに無音通知コマンドを送信する処理を実行しない（即ち、通知を与えない）。このようにすることで、保有者が通知を見逃すことがないよう保証することができると共に、保有者でない者は所定の音情報を通常通り聴くことができ、ユーザの体験を向上させることができる。
【００５８】
また、図５に示す如く、実施形態にあっては、通知すべきイベントに従い無音通知コマンドをワイヤレスヘッドフォンに送信する前に、本方法はステップＳ５０１を含む。
【００５９】
ステップＳ５０１では、ワイヤレスヘッドフォンの現ユーザのＩＤを取得する。
【００６０】
なお、上記したステップＳ４０１は、以下のステップＳ５０２からＳ５０４を含む。
【００６１】
ステップＳ５０２では、現ユーザのＩＤが所定のユーザＩＤと一致するか判断される。
【００６２】
現ユーザのＩＤが所定のユーザＩＤと一致する場合、ステップＳ５０３において、現ユーザが所定のユーザであると判断する。
【００６３】
一方、現ユーザのＩＤが所定のユーザＩＤと一致しない場合、ステップＳ５０４において、現ユーザは所定のユーザでないと判断する。
【００６４】
この実施形態にあっては、現ユーザのＩＤに基づき、現ユーザが所定のユーザが否か判断され、その判断結果に応じて異なる動作が実行される。このように、所定のユーザとそれ以外のユーザとで異なる処理を実現できると共に、継続的にユーザの体験を向上させることができる。
【００６５】
図６Ａ及び６Ｂに示す如く、実施形態にあっては、上記ステップＳ５０１はステップＳ６０１からＳ６１１を含む。
【００６６】
図６Ａに示す如く、ステップＳ６０１では、入力された現ユーザのＩＤを取得する。
【００６７】
また、図６Ｂに示す如く、ステップＳ６１１では、現ユーザのＩＤをワイヤレスヘッドフォンから受信する。
【００６８】
この実施形態にあっては、端末にインタフェースが設けられ、ユーザは自己のＩＤを当該インタフェースに入力することができる。また、端末は、ワイヤレスヘッドフォンから現ユーザのＩＤを取得することができる。なお、当然のことながら、端末は現ユーザのＩＤを他の手段で取得しても良い。例えば、現ユーザの頭部写真を撮り、所定のユーザの頭部写真と比較し、現ユーザの頭部写真と所定のユーザの頭部写真とが一致すれば現ユーザは所定のユーザであり、一致しなければ所定のユーザでない。あるいは、現ユーザの指紋情報を取得し、所定のユーザの指紋情報と比較し、現ユーザの指紋情報と所定のユーザの指紋情報とが一致すれば現ユーザは所定のユーザであり、一致しなければ所定のユーザでない。
【００６９】
本開示の実施形態は、さらにワイヤレスヘッドフォンに用いられるイベント通知方法を提供する。図７に示す如く、本方法はステップＳ７０１からＳ７０２を含む。
【００７０】
先ずステップＳ７０１において、ワイヤレスヘッドフォンに接続している端末から無音通知コマンドを受信する。
【００７１】
次いでステップＳ７０２において、受信した無音通知コマンドに応じて無音の通知動作を実行する。
【００７２】
この実施形態にあっては、通知すべきイベントを端末が受信した際に、当該端末に接続されたワイヤレスヘッドフォンを用いて所定の音情報を再生している場合、端末は、ワイヤレスヘッドフォンが無音の通知動作（バイブレーション通知動作や点滅通知動作等）を実行するようワイヤレスヘッドフォンに無音通知コマンドを送信する。よって、再生中の所定の音情報を遮ることがなく、かつ、通常通りユーザに当該イベントを通知することができるため、ユーザの体験を向上させることができる。
【００７３】
前記所定の音情報は、ユーザや製造者が設定することができる。例えば、音楽や動画等、ユーザの好むものを所定の音情報として設定することができる。したがって、所定の音情報を再生中に音を再生して通知する必要のある他のイベントを受信した場合であっても、端末は、無音通知コマンドをワイヤレスヘッドフォンに送信する。よって、ユーザは自分好みの音情報全体を、当該他のイベントによって邪魔されることなく確実に再生することができる。
【００７４】
なお、この実施形態において、無音の通知動作は、バイブレーション通知動作及び点滅通知動作の少なくともいずれかを含む。
【００７５】
図８に示す如く、この実施形態にあっては、上記ステップＳ７０２はステップＳ８０１からＳ８０２を含む。
【００７６】
ステップＳ８０１では、無音通知コマンドから無音通知強度が解析される。
【００７７】
ステップＳ８０２では、解析された無音通知強度に従い無音の通知動作が実行される。
【００７８】
この実施形態にあっては、端末は、異なるイベントの種類に対し異なる通知強度で無音通知コマンドを送信し、ワイヤレスヘッドフォンは異なる無音の通知動作を実行する。ユーザは無音の通知動作の強度に基づき、即時に当該イベントを処理すべきか否かを簡便に判断することができると共に、重要な通知イベントを見逃すことを防ぐことができる。
【００７９】
図９に示す如く、実施形態にあっては、上記した方法はさらにステップＳ９０１からＳ９０２を含む。
【００８０】
ステップＳ９０１では、入力されたワイヤレスヘッドフォンの現ユーザのＩＤを取得する。
【００８１】
ステップＳ９０２では、現ユーザのＩＤを端末に送信する。
【００８２】
この実施形態にあっては、ワイヤレスヘッドフォンは入力された現ユーザのＩＤを取得することができる。例えば、ワイヤレスヘッドフォンにボタンやインタフェースが設けられる。より具体的には、２つのボタンを設け、第１ボタンを所定ユーザのＩＤに対応させ、第２ボタンを所定のユーザ以外に対応させることができる。端末は、使われたボタンに対応するＩＤを受信し、現ユーザが所定のユーザか否かを知ることができる。即ち、端末は、現ユーザのＩＤに基づき、現ユーザが所定のユーザか否かを判断することができ、その判断結果に従い、異なる動作を実行する。このように、所定のユーザとそれ以外のユーザとで異なる処理を実現できると共に、継続的にユーザの体験を向上させることができる。
【００８３】
以下、本開示に係る装置の実施形態では、上記した本開示の方法の実施形態を実行することができる。
【００８４】
図１０は、例示の実施形態に係るイベント通知装置を示すブロック図である。本装置は、ソフトウェアやハードウェア、又はこれらの組み合わせにより端末装置の一部又は全てとして実行することができる。図１０に示す如く、イベント通知装置は、通知すべきイベントを受信したときに、端末に接続されたワイヤレスヘッドフォンを用いて当該端末が所定の音情報を再生しているか判断するように構成された第１判断モジュール１００１と、端末がワイヤレスヘッドフォンを用いて所定の音情報を再生している場合、当該イベントに基づきワイヤレスヘッドフォンに無音通知コマンドを送信するように構成された送信モジュール１００２と、を備える。なお、当該無音通知コマンドは、無音の通知動作を実行するようにワイヤレスヘッドフォンを制御するためのものである。
【００８５】
図１１に示す如く、実施形態において、送信モジュール１００２は、通知すべきイベントの種類を判断するように構成された第１判断サブモジュール１１０１と、当該イベントの種類、及び、所定のイベントの種類と無音通知強度との関係に基づき、当該イベントの種類に対応する無音通知強度を判断するように構成された第２判断サブモジュール１１０２と、無音通知強度に従い無音通知コマンドを生成するように構成された生成サブモジュール１１０３と、無音通知コマンドをワイヤレスヘッドフォンに送信するように構成された送信サブモジュール１１０４と、を備える。なお、ワイヤレスヘッドフォンは、無音通知コマンドの無音通知強度に応じて無音の通知動作を実行するように構成される。
【００８６】
実施形態では、第１判断サブモジュール１１０１は、通知すべきイベントの属するアプリケーションを取得すると共に、当該アプリケーションに基づき通知すべきイベントの種類を判断するように構成される。
【００８７】
また、図１２に示す如く、実施形態では、本装置はさらに、当該イベントに基づき無音通知コマンドをワイヤレスヘッドフォンに送信する前に、ワイヤレスヘッドフォンの現ユーザが所定のユーザか判断するように構成された第２判断モジュール１２０１と、現ユーザが所定のユーザである場合に前記送信モジュールを起動する一方、現ユーザが所定のユーザでない場合は前記送信モジュールを起動しない処理モジュール１２０２と、を備える。
【００８８】
図１３Ａに示す如く、実施形態では、本装置はさらに、通知すべきイベントに基づき無音通知コマンドをワイヤレスヘッドフォンに送信する前に、ワイヤレスヘッドフォンの現ユーザのＩＤを取得するように構成された取得モジュール１３０１を備える。
【００８９】
図１３Ｂに示す如く、実施形態では、第２判断モジュール１２０１は、現ユーザのＩＤが所定のユーザＩＤと一致するか判断するように構成された判断サブモジュール１３１１と、現ユーザのＩＤが所定のユーザＩＤと一致する場合、現ユーザが所定のユーザであると決定するように構成された第１決定サブモジュール１３１２と、現ユーザのＩＤが所定のユーザＩＤと一致しない場合、現ユーザが所定のユーザでないと決定するように構成された第２決定サブモジュールと、を備える。
【００９０】
また、図１４に示す如く、実施形態では、取得モジュール１３０１は、入力された現ユーザのＩＤを取得するように構成されたＩＤ取得サブモジュール１４０１、又は、ワイヤレスヘッドフォンから現ユーザのＩＤを受信するように構成されたＩＤ受信サブモジュール１４０２を備える。
【００９１】
図１５は、例示の実施形態に係るイベント通知装置を示すブロック図である。本装置は、ソフトウェアやハードウェア、又はこれらの組み合わせにより端末装置の一部又は全てとして実行することができる。図１５に示す如く、本イベント通知装置は、ワイヤレスヘッドフォンに接続した端末から無音通知コマンドを受信するように構成された受信モジュール１５０１と、前記無音通知コマンドに対応する無音の通知動作を実行するように構成された実行モジュール１５０２と、を備える。
【００９２】
実施形態では、前記無音の通知動作には、バイブレーション通知動作及び点滅通知動作の少なくともいずれかが含まれる。
【００９３】
図１６に示す如く、実施形態では、実行モジュール１５０２は、無音通知コマンドから無音通知強度を解析するように構成された解析サブモジュール１６０１と、解析された無音通知強度に従い無音の通知動作を実行するように構成された動作実行サブモジュール１６０２と、を備える。
【００９４】
また、図１７に示す如く、実施形態では、本装置はさらに、ワイヤレスヘッドフォンの現ユーザのＩＤを取得するように構成されたＩＤ取得モジュール１７０１と、現ユーザのＩＤを端末に送信するように構成された送信モジュール１７０２と、を備える。
【００９５】
本開示の実施形態に係る第５の態様にあっては、端末に用いられるイベント通知装置を提供する。本装置は、プロセッサと、当該プロセッサによって実行される命令を記録するメモリとを備える。プロセッサは、端末が通知すべきイベントを受信した際に、当該端末に接続されたワイヤレスヘッドフォンを用いて所定の音情報を再生しているか否か判断し、端末がワイヤレスヘッドフォンを用いて所定の音情報を再生している場合、通知すべきイベントに基づいてワイヤレスヘッドフォンに無音通知コマンドを送信する。ここで、当該無音通知コマンドは、無音の通知動作を実行するようにワイヤレスヘッドフォンを制御するためのものである。
【００９６】
プロセッサは、通知すべきイベントの種類を判断し、当該イベントに基づいてワイヤレスヘッドフォンに無音通知コマンドを送信し、当該イベントの種類、及び、所定のイベントの種類と無音通知強度との関係に基づき当該イベントの種類に対応する無音通知強度を判断し、無音通知強度に基づき無音通知コマンドを生成し、無音通知コマンドをワイヤレスヘッドフォンに送信する。なお、ワイヤレスヘッドフォンは、当該無音通知コマンドの無音通知強度に応じて無音の通知動作を実行するように構成される。
【００９７】
また、プロセッサは、入力された通知すべきイベントの設定コマンドを受信し、当該イベントの設定コマンドに基づき、当該イベントの種類及び当該イベントの種類に対応する無音通知強度を設定する。
【００９８】
また、プロセッサは、通知すべきイベントの種類を判断するように構成される。具体的には、当該イベントの属するアプリケーションを取得し、当該アプリケーションに基づき当該イベントの種類を判断するように構成される。
【００９９】
また、プロセッサはさらに、通知すべきイベントに基づき無音通知コマンドをワイヤレスヘッドフォンに送信する前に、ワイヤレスヘッドフォンの現ユーザが所定のユーザか判断し、現ユーザが所定のユーザであれば当該イベントに基づき無音通知コマンドをワイヤレスヘッドフォンに送信する処理を実行する一方、ユーザが所定のユーザでなければ当該イベントに基づき無音通知コマンドをワイヤレスヘッドフォンに送信する処理を実行しないように構成される。
【０１００】
プロセッサはさらに、通知すべきイベントに基づいてワイヤレスヘッドフォンに無音通知コマンドを送信する前に、ワイヤレスヘッドフォンの現ユーザのＩＤを取得するように構成される。プロセッサは、現ユーザのＩＤが所定のユーザＩＤと一致するか否か判断することによってワイヤレスヘッドフォンの現ユーザが所定のユーザか否か判断するものであって、現ユーザのＩＤが所定のユーザＩＤと一致すれば、現ユーザが所定のユーザであると決定する一方、現ユーザのＩＤが所定のユーザＩＤと一致しなければ、現ユーザは所定のユーザではないと決定する。
【０１０１】
プロセッサは、入力された現ユーザＩＤを取得することでワイヤレスヘッドフォンの現ユーザのＩＤを取得する。又は、ワイヤレスヘッドフォンから現ユーザのＩＤを受信する。
【０１０２】
本開示の実施形態に係る第６の態様にあっては、ワイヤレスヘッドフォンに用いられるイベント通知装置を提供する。本装置は、プロセッサと、当該プロセッサによって実行される命令を記録したメモリとを備える。プロセッサは、ワイヤレスヘッドフォンに接続された端末から無音通知コマンドを受信すると共に、受信した無音通知コマンドに対応する無音の通知動作を実行するように構成される。
【０１０３】
プロセッサは、無音通知コマンドに対応する無音の通知動作を実行するように構成される。具体的には、当該無音通知コマンドから無音通知強度を解析し、当該無音通知強度に応じて無音の通知動作を実行するように構成される。
【０１０４】
プロセッサはさらに、ワイヤレスヘッドフォンの現ユーザのＩＤを取得すると共に、現ユーザのＩＤを端末に送信するように構成される。
【０１０５】
なお、無音の通知動作には、バイブレーション通知動作及び点滅通知動作の少なくともいずれかが含まれる。
【０１０６】
なお、上記実施形態に係る装置に関し、当該装置に含まれる個々のモジュールの具体的な動作方法は、上記した使用権限取得方法に係る実施形態において説明した通りである。したがって、ここでは詳細な説明は省略する。
【０１０７】
図１８は例示の実施形態に係るイベント通知装置のブロック図である。本装置は、端末装置に適用することができる。例えば、本装置１８００は、携帯電話、コンピュータ、デジタル放送端末、メッセージ送受信機器、ゲームコントローラ、タブレット機器、医療用機器、運動器具、ＰＤＡ等とすることができる。
【０１０８】
本装置１８００は、処理部１８０２、メモリ１８０４、電力部１８０６、マルチメディア部１８０８、オーディオ部１８１０、入出力（Ｉ／Ｏ）インタフェース１８１２、センサ部１８１４、通信部１８１６、のうち１つ以上の構成要素を含む。
【０１０９】
処理部１８０２は、典型的には、ディスプレイに関する操作、通話、データ通信、カメラ操作、録音操作、といった装置１８００の全体的な動作を制御する。また、処理部１８０２は、上記した方法の処理ステップの全て又は一部を実行するべく命令を処理するために１つ以上のプロセッサ１８２０を含むものとすることができる。さらに、処理部１８０２は、処理部１８０２と他の構成要素との間の相互作用を促進する１つ以上のモジュールを含むものとすることができる。例えば、処理部１８０２は、マルチメディア部１８０８と処理部１８０２との間の相互作用を促進するためにマルチメディアモジュールを含んでも良い。
【０１１０】
メモリ１８０４は、装置１８００の動作を補助する種々のデータを保存するように構成される。このようなデータの例として、装置１８００で実行されるアプリケーションや方法に係る命令や、コンタクトデータ、電話帳データ、メッセージ、写真、ビデオ等が含まれる。メモリ１８０４は、ＳＲＡＭ（Static Random Access Memory）、ＥＥＰＲＯＭ（Electrically Erasable Programmable Read-Only Memory）、ＥＰＲＯＭ（Erasable Programmable Read-Only Memory）、ＰＲＯＭ（Programmable Read-Only Memory）、ＲＯＭ（Read-Only Memory）、磁気メモリ、フラッシュメモリ、磁気／光学ディスクといった、揮発性若しくは不揮発性の機器、又はこれらの組み合わせによって実現することができる。
【０１１１】
電力部１８０６は、装置１８００の種々の構成要素に電力を供給する。なお、電力部１８０６は、電力管理システム、１つ以上の電源、及び発電、電力管理、装置１８００への電力分配に関するその他の構成要素を含むものであって良い。
【０１１２】
マルチメディア部１８０８は、装置１８００とユーザとの間の出力インタフェースを構成するスクリーンを備える。なお、いくつかの実施形態にあっては、スクリーンは液晶ディスプレイ（ＬＣＤ）やタッチパネル（ＴＰ）からなるものであっても良い。スクリーンがタッチパネルからなる場合、スクリーンはユーザからの入力信号を受信するタッチスクリーンとなる。また、タッチパネルは、当該タッチパネル上のタッチ操作、スワイプ操作、ジェスチャ操作を検知する１つ以上のタッチセンサを有する。なお、タッチセンサはタッチ操作やスワイプ操作の境界を検知するだけでなく、当該タッチ操作やスワイプ操作に係る時間や圧力も検知しても良い。また、いくつかの実施形態にあっては、マルチメディア部１８０８はフロントカメラ及び／又はリアカメラを有する。装置１８００が写真モードや動画モードといった運転モードにある場合、フロントカメラ及び／又はリアカメラは、外部のマルチメディアデータを受信することができる。フロントカメラとリアカメラは、それぞれ固定光学レンズ系からなるか、焦点及び光学ズームを有することができる。
【０１１３】
オーディオ部１８１０は、オーディオ信号を入出力するように構成される。オーディオ部１８１０は、例えば、装置１８００が、通話モード、録音モード、音声確認モードといった運転モードにある際に外部のオーディオ信号を受信するように構成されたマイクロフォン（ＭＩＣ）を備える。また、受信したオーディオ信号は、メモリ１８０４に保存されたり、通信部１８１６を介して送信されたりすることができる。いくつかの実施形態にあっては、オーディオ部１８１０は、さらにオーディオ信号を出力するスピーカを備える。
【０１１４】
Ｉ／Ｏインタフェース１８１２は、処理部１８０２と周辺のインタフェースモジュール（例えば、キーボード、クリックホイール、ボタン等）との間のインタフェースを提供する。なお、以下に限定されるものではないが、ボタンには、ホームボタン、音量ボタン、スタートボタン、ロックボタンが含まれる。
【０１１５】
センサ部１８１４は、装置１８００の種々の側面を評価するための１つ以上のセンサを含む。例えば、センサ部１８１４は装置１８００の開閉状態、装置１８００の各構成要素（例えばディスプレイとキーパッド）の相対位置、装置１８００や構成要素の位置の変化、装置１８００に触れるユーザの存否、装置１８００の向きや加減速、及び装置１８００の温度変化、を検出することができる。なお、センサ部１８１４は、直接接触することなく近辺の物体を検出するように構成された近接センサを含むものであっても良い。また、センサ部１８１４は、画像アプリケーションのために、ＣＭＯＳやＣＣＤイメージセンサといった光センサを含んでも良い。また、いくつかの実施形態では、センサ部１８１４は、加速度計、ジャイロセンサ、磁気センサ、圧力センサ、又は温度センサも含んでも良い。
【０１１６】
通信部１８１６は、装置１８００と他の装置との間の無線・有線通信を容易にするように構成される。即ち、装置１８００は、WiFiや２Ｇ、３Ｇ、又はこれらの組み合わせといった通信規格に基づいて無線ネットワークにアクセスすることができる。例示の実施形態にあっては、通信部１８１６は、放送チャンネルを介して外部の放送管理システムから放送信号又は放送関連情報を受信する。また、例示する実施形態にあっては、通信部１８１６はさらに、近距離通信を容易にする近距離通信（ＮＦＣ）モジュールを有する。例えば、ＮＦＣモジュールは、無線周波数識別（ＲＦＩＤ）技術、赤外線通信協会（ＩｒＤＡ）の技術、超広帯域（ＵＷＢ）技術、Bluetooth（ＢＴ）技術、及びその他の技術に基づいて実現することができる。
【０１１７】
例示の実施形態では、装置１８００は、上記した方法を実行する１つ以上の特定用途集積回路（ＡＳＩＣｓ）、デジタル信号プロセッサ（ＤＳＰｓ）、デジタル信号処理装置（ＤＳＰＤｓ）、プログラマブル・ロジック装置（ＰＬＤｓ）、フィールド・プログラマブル・ゲートアレイ（ＦＰＧＡｓ）、制御部、マイクロコントローラ、マイクロプロセッサ、又はそれ以外の電子部品、によって実現することができる。
【０１１８】
例示の実施形態では、メモリ１８０４に保存される命令等であって、上記した方法を実現するために装置１８００のプロセッサ１８２０によって実行される命令を記憶した非一時的なコンピュータ・リーダブル記憶媒体も備える。非一時的なコンピュータ・リーダブル記憶媒体の例としては、ＲＯＭ、ＲＡＭ（Random Access Memory）、ＣＤ−ＲＯＭ（Compact Disc Read-Only Memory）、磁気テープ、フロッピー（登録商標）ディスク、光データ記憶装置等がある。
【０１１９】
非一時的なコンピュータ・リーダブル記憶媒体には、本装置１８００のプロセッサによって実行されることで、本装置１８００によって上記したイベント通知方法を実現することができる。ここで、本方法は、以下の処理を含む：
通知すべきイベントを受信したとき、端末が、当該端末に接続されたワイヤレスヘッドフォンを用いて所定の音情報を再生しているか否か判断し、
端末がワイヤレスヘッドフォンを用いて所定の音情報を再生している場合、通知すべきイベントに応じて、無音の通知動作を実行するようにワイヤレスヘッドフォンを制御する無音通知コマンドを送信する。
【０１２０】
実施形態では、上記した、通知したイベントに基づきワイヤレスヘッドフォンに無音通知コマンドを送信する処理は、
通知されるべきイベントの種類を判断し、
通知すべきイベントの種類、及び、所定の通知すべきイベントの種類と無音通知強度との関係に基づき、通知すべきイベントの種類に対応する無音通知強度を決定し、
前記無音通知強度に基づき無音通知コマンドを生成し、
前記ワイヤレスヘッドフォンに前記無音通知コマンドを送信するものであって、
前記ワイヤレスヘッドフォンは、前記無音通知コマンドの無音通知強度に応じて無音の通知動作を実行するように構成される。
【０１２１】
実施形態では、本方法はさらに、
入力された、通知すべきイベントの設定コマンドを受信し、
前記通知すべきイベントの設定コマンドに基づき前記所定の通知すべきイベントの種類に対応する、前記所定の通知すべきイベントの種類と無音通知強度を設定する処理を含む。
【０１２２】
実施形態では、通知すべきイベントの種類の判断には、
通知すべきイベントの属するアプリケーションを取得し、
前記アプリケーションに基づき通知すべきイベントの種類を判断する処理を含む。
【０１２３】
実施形態では、前記通知すべきイベントに基づき前記無音通知コマンドを前記ワイヤレスヘッドフォンに送信する前に、本方法は、
前記ワイヤレスヘッドフォンの現ユーザがが所定のユーザか否か判断し、
前記現ユーザが前記所定のユーザであれば、前記通知すべきイベントに基づき前記ワイヤレスヘッドフォンに前記無音通知コマンドの送信を実行する一方、
前記現ユーザが前記所定のユーザでなければ、前記通知すべきイベントに基づき前記ワイヤレスヘッドフォンに前記無音通知コマンドの送信を実行しない処理を含む。
【０１２４】
実施形態では、前記通知すべきイベントに基づき前記無音通知コマンドを前記ワイヤレスヘッドフォンに送信する前に、本方法は、
前記ワイヤレスヘッドフォンの現ユーザのＩＤを取得するものであって、
前記ワイヤレスヘッドフォンの現ユーザが前記所定のユーザか否かを判断する処理は、
前記現ユーザのＩＤが所定のユーザＩＤと一致するか判断し、
前記現ユーザのＩＤが所定のユーザＩＤと一致する場合、前記現ユーザが前記所定のユーザであると決定し、
前記現ユーザのＩＤが所定のユーザＩＤと一致しない場合、前記現ユーザが前記所定のユーザではないと決定する処理を含む。
【０１２５】
実施形態では、前記ワイヤレスヘッドフォンの現ユーザのＩＤを取得する処理には、
入力された現ユーザのＩＤを取得し、又は、
前記ワイヤレスヘッドフォンから前記現ユーザのＩＤを受信する処理を含む。
【０１２６】
なお、本開示の他の実施形態については、本明細書の内容や本開示の内容から当業者にとって明らかである。また、本願は、当該技術分野における公知・習慣技術の範囲における本開示からの変更を含め、一般的な原則に従った本開示のあらゆるバリエーションや用途や適応をカバーするものである。また、上記した説明及び実施例はあくまでも例示に過ぎず、真の権利範囲や本開示の要旨は請求の範囲に示される通りである。
【０１２７】
また、本開示は、上述され、かつ、添付の図面において例示されてきた構造に限定されるものではなく、本開示の範囲から逸脱しない範囲において、さまざまな修正および変更を行うことが可能である。したがって、本開示の範囲は、添付の特許請求の範囲によってのみ限定されるものである。
【図１】
2017528929.tif 000003
【図２】
2017528929.tif 000004
【図３】
2017528929.tif 000005
【図４】
2017528929.tif 000006
【図５】
2017528929.tif 000007
【図６Ａ】
2017528929.tif 000008
【図６Ｂ】
2017528929.tif 000009
【図７】
2017528929.tif 000010
【図８】
2017528929.tif 000011
【図９】
2017528929.tif 000012
【図１０】
2017528929.tif 000013
【図１１】
2017528929.tif 000014
【図１２】
2017528929.tif 000015
【図１３Ａ】
2017528929.tif 000016
【図１３Ｂ】
2017528929.tif 000017
【図１４】
2017528929.tif 000018
【図１５】
2017528929.tif 000019
【図１６】
2017528929.tif 000020
【図１７】
2017528929.tif 000021
【図１８】
2017528929.tif 000022
【手続補正書】
【提出日】平成28年6月22日(2016.6.22)
【手続補正１】
【補正対象書類名】特許請求の範囲
【補正対象項目名】全文
【補正方法】変更
【補正の内容】
【特許請求の範囲】
【請求項１】
端末に用いられるイベント通知方法であって、
通知すべきイベントを受信したとき、前記端末が、当該端末に接続されたワイヤレスヘッドフォンを用いて所定の音情報を再生しているか否か判断し、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信すること、
を特徴とするイベント通知方法。
【請求項２】
前記通知すべきイベントに応じて、前記無音通知コマンドを前記ワイヤレスヘッドフォンに送信する処理は、
前記通知すべきイベントの種類を判断し、
前記通知すべきイベントの種類、及び、所定の通知すべきイベントの種類と無音通知強度との関係に基づき、前記通知すべきイベントの種類に対応する無音通知強度を判断し、
前記無音通知強度に基づき前記無音通知コマンドを生成し、
前記ワイヤレスヘッドフォンに前記無音通知コマンドを送信するものであって、
前記ワイヤレスヘッドフォンは、前記無音通知コマンドの無音通知強度に応じて前記無音の通知動作を実行するように構成されたものであること、
を特徴とする請求項１に記載のイベント通知方法。
【請求項３】
前記通知すべきイベントの種類を判断する処理は、
前記通知すべきイベントの属するアプリケーションを取得し、
前記アプリケーションに基づき前記通知すべきイベントの種類を判断する、
ものであることを特徴とする請求項２に記載のイベント通知方法。
【請求項４】
前記通知すべきイベントに応じて前記無音通知コマンドを前記ワイヤレスヘッドフォンに送信する前に、
前記ワイヤレスヘッドフォンの現ユーザが所定のユーザが否か判断し、
前記現ユーザが前記所定のユーザであれば、前記通知すべきイベントに応じて前記無音通知コマンドを前記ワイヤレスヘッドフォンに送信する一方、
前記現ユーザが前記所定のユーザでなければ、前記ワイヤレスヘッドフォンに前記無音通知コマンドを送信しない、
ことを特徴とする請求項１から３のいずれか１項に記載のイベント通知方法。
【請求項５】
前記通知すべきイベントに応じて前記無音通知コマンドを前記ワイヤレスヘッドフォンに送信する前に、前記ワイヤレスヘッドフォンの現ユーザのＩＤを取得し、
前記ワイヤレスヘッドフォンの現ユーザが所定のユーザか否かを判断する処理は、
前記現ユーザのＩＤが所定のユーザＩＤと一致するか否か判断し、
前記現ユーザのＩＤが前記所定のユーザＩＤと一致する場合、前記現ユーザが前記所定のユーザであると決定し、
前記現ユーザのＩＤが前記所定のユーザＩＤと一致しない場合、前記現ユーザが前記所定のユーザではないと決定する、
ものであることを特徴とする請求項４に記載のイベント通知方法。
【請求項６】
前記ワイヤレスヘッドフォンの現ユーザのＩＤを取得する処理は、
入力された前記現ユーザのＩＤを取得し、又は、
前記ワイヤレスヘッドフォンから前記現ユーザのＩＤを受信する、
ものであることを特徴とする請求項５に記載のイベント通知方法。
【請求項７】
ワイヤレスヘッドフォンに用いられるイベント通知方法であって、
前記ワイヤレスヘッドフォンに接続された端末から無音通知コマンドを受信し、
前記無音通知コマンドに応じて無音の通知動作を実行すること、
を特徴とするイベント通知方法。
【請求項８】
前記無音通知コマンドに応じて無音の通知動作を実行する処理は、
前記無音通知コマンドから無音通知強度を解析し、
前記無音通知強度に応じて対応する無音の通知動作を実行する、
ものであることを特徴とする請求項７に記載のイベント通知方法。
【請求項９】
さらに、入力された前記ワイヤレスヘッドフォンの現ユーザのＩＤを取得し、
前記端末に前記現ユーザのＩＤを送信すること、
を特徴とする請求項７又は８に記載のイベント通知方法。
【請求項１０】
前記無音の通知動作が、バイブレーション通知動作及び点滅動作のうち少なくとも何れかを含むことを特徴とする請求項７から９のいずれか１項に記載のイベント通知方法。
【請求項１１】
端末に用いられるイベント通知装置であって、
通知すべきイベントを受信したとき、前記端末が、当該端末に接続されたワイヤレスヘッドフォンを用いて所定の音情報を再生しているか否か判断するように構成された第１判断モジュールと、
前記端末が前記ワイヤレスヘッドフォンを用いて前記所定の音情報を再生している場合、前記通知すべきイベントに応じて、無音の通知動作を実行するように前記ワイヤレスヘッドフォンを制御する無音通知コマンドを前記ワイヤレスヘッドフォンに送信するように構成された送信モジュールと、
を備えることを特徴とするイベント通知装置。
【請求項１２】
前記送信モジュールは、
通知すべきイベントの種類を判断するように構成された第１判断サブモジュールと、
前記通知すべきイベントの種類、及び、所定の通知すべきイベントの種類と無音通知強度との関係に基づき、前記通知すべきイベントの種類に対応する無音通知強度を判断するように構成された第２判断サブモジュールと、
前記無音通知強度に基づき前記無音通知コマンドを生成するように構成された生成サブモジュールと、
前記ワイヤレスヘッドフォンに前記無音通知コマンドを送信するように構成された送信サブモジュールと、を備え、
前記ワイヤレスヘッドフォンは、前記無音通知コマンドの無音通知強度に応じて前記無音の通知動作を実行するように構成されたものであること、
を特徴とする請求項１１に記載のイベント通知装置。
【請求項１３】
前記第１判断サブモジュールは、
前記通知すべきイベントの属するアプリケーションを取得すると共に、
前記アプリケーションに基づき前記通知すべきイベントの種類を判断するように構成されたものであることを特徴とする請求項１２に記載のイベント通知装置。
【請求項１４】
さらに、前記通知すべきイベントに応じて前記無音通知コマンドが前記ワイヤレスヘッドフォンに送信される前に、前記ワイヤレスヘッドフォンの現ユーザが所定のユーザか否か判断するように構成された第２判断モジュールと、
前記現ユーザが所定のユーザであれば、前記送信モジュールを起動する一方、前記現ユーザが所定のユーザでなければ、前記送信モジュールを起動させないように構成された処理モジュールと、
を備えることを特徴とする請求項１１から１３のいずれか１項に記載のイベント通知装置。
【請求項１５】
さらに、前記通知すべきイベントに応じて前記無音通知コマンドが前記ワイヤレスヘッドフォンに送信される前に、前記ワイヤレスヘッドフォンの現ユーザのＩＤを取得するように構成された取得モジュールを備え、
前記第２判断モジュールは、
前記現ユーザのＩＤが所定のユーザＩＤと一致するか否か判断するように構成された判断サブモジュールと、
前記現ユーザのＩＤが前記所定のユーザＩＤと一致する場合、前記現ユーザが前記所定のユーザであると決定するように構成された第１決定サブモジュールと、
前記現ユーザのＩＤが前記所定のユーザＩＤと一致しない場合、前記現ユーザが前記所定のユーザではないと決定するように構成された第２決定サブモジュールと、
を備えることを特徴とする請求項１４に記載のイベント通知装置。
【請求項１６】
前記取得モジュールは、
入力された前記現ユーザのＩＤを取得するように構成されたＩＤ取得サブモジュール、又は、
前記ワイヤレスヘッドフォンから前記現ユーザのＩＤを受信するように構成されたＩＤ受信サブモジュールと、
を備えるものであることを特徴とする請求項１５に記載のイベント通知装置。
【請求項１７】
ワイヤレスヘッドフォンに用いられるイベント通知装置であって、
前記ワイヤレスヘッドフォンに接続された端末から無音通知コマンドを受信するように構成された受信モジュールと、
前記無音通知コマンドに応じて無音の通知動作を実行するように構成された実行モジュールと、
を備えることを特徴とするイベント通知装置。
【請求項１８】
前記実行モジュールは、
前記無音通知コマンドから無音通知強度を解析するように構成された解析サブモジュールと、
前記無音通知強度に応じて対応する無音の通知動作を実行するように構成された動作実行サブモジュールと、
を備えるものであることを特徴とする請求項１７に記載のイベント通知装置。
【請求項１９】
さらに、前記ワイヤレスヘッドフォンの現ユーザのＩＤを取得するように構成されたＩＤ取得モジュールと、
前記端末に前記現ユーザのＩＤを送信するように構成された送信モジュールと、
を備えることを特徴とする請求項１７又は１８に記載のイベント通知装置。
【請求項２０】
前記無音の通知動作が、バイブレーション通知動作及び点滅動作のうち少なくとも何れかを含むことを特徴とする請求項１７から１９のいずれか１項に記載のイベント通知装置。
【請求項２１】
請求項１から１０のいずれか１項に記載の端末に用いられるイベント通知方法をコンピュータに実行させるコンピュータプログラム。
【請求項２２】
請求項２１に記載のコンピュータプログラムを記録した、コンピュータによって読み取り可能な記録媒体。
【国際調査報告】
2017528929.tif 000023
2017528929.tif 000024
2017528929.tif 000025
2017528929.tif 000026